(57)【特許請求の範囲】
【請求項１】
活動量計測手段、
活動量計測手段で計測された活動量の情報を情報読出端末に対して読出可能に記憶する記憶手段、
ディスプレイ、及び
ディスプレイにおける表示を制御する制御手段
を備えている携帯型端末であって、
制御手段が、活動量の情報が記憶手段から情報読出端末へ最後に読み出されたときから所定期間経過するとディスプレイにおける活動量の情報を非表示にすると共に、その非表示の状態で、情報読出端末による読み出しを促すマーク又は語句をディスプレイに表示させ、その後、活動量の情報が記憶手段から情報読出端末に読み出されるとディスプレイにおいて活動量の情報を表示可能とする携帯型端末。
【請求項２】
記憶手段から情報読出端末への、ディスプレイにおける活動量の情報の表示又は非表示に関わる活動量の情報の読み出しが、アドバイザーにより活動量に関するアドバイスが提供されるアドバイス提供地に設置された情報読取端末によって行われる請求項１記載の携帯型端末。
【請求項３】
携帯型端末が通信手段を備え、
通信手段が、記憶手段から情報読出端末へ読み出された活動量に対して付与されたポイントの情報を受信すると、そのポイントの情報を記憶手段が記憶し、
制御手段が、活動量の情報が記憶手段から情報読出端末へ最後に読み出されたときから所定期間経過するとディスプレイにおけるポイントの情報を非表示とし、その後、活動量の情報が記憶手段から情報読出端末に読み出されるとディスプレイにおいてポイントの情報を表示可能とする請求項１又は２記載の携帯型端末。
【請求項４】
活動量計測手段、及び活動量計測手段で計測された活動量の情報を情報読出端末に対して読出可能に記憶する記憶手段を備えた携帯型端末、
携帯型端末のユーザーごとに活動量の情報を記憶する活動量サーバー、
アドバイザーにより活動量に関するアドバイスが提供されるアドバイス提供地に設置され、携帯型端末の記憶手段に記憶されている活動量の情報を読み出し、活動量サーバーに送信する情報読出端末、
を備えた活動量管理システムであって、
携帯型端末として請求項１〜３のいずれかに記載の携帯型端末を備える活動量管理システム。
【請求項５】
日常生活における活動の質及び量とそれらに対するアドバイスとを関連づけたデータベースを備え、
活動量サーバーが、ユーザーの活動量の情報が情報読出端末から送信されると前記データベースと接続し、活動量サーバーに記憶されている該ユーザーの活動量の情報に基づきデータベースから活動量に関するアドバイスの情報を情報読出端末に送信する請求項４記載の活動量管理システム。
【請求項６】
携帯型端末から読み出された活動量に対してポイントを付与するポイント付与手段、及び
ポイント付与手段によって付与されたポイントを管理するポイント管理サーバーを備え、
携帯型端末として請求項３記載の携帯型端末を備え、
情報読出端末が、ポイント付与手段によって付与されたポイントの情報を携帯型端末に送信する請求項４又は５記載の活動量管理システム。
【発明の詳細な説明】
【技術分野】
【０００１】
本発明は、活動量計測手段を備えた携帯型端末及びそれを用いた活動量管理システムに関する。
【背景技術】
【０００２】
健康の維持又は向上を図るはかるために、歩数等を計測する活動量計を装着し、日々の活動量を記録することが広く行われている。保健機関等の中には、活動量の記録を持参した者に、活動量が十分であるか、活動時間が適切であるかなどについて生活指導を行うところもある。
【０００３】
また、活動量計で測定される歩数量をポイント化し、蓄積したポイントで商品やサービスを得られるようにするシステムが提案されている（特許文献１）。このシステムによれば、運動を継続するモチベーションを維持でき、健康の維持あるいは増進を実現できるとされている。
【０００４】
一方、生活習慣病の予防等のために生活を改善するためには、日常生活の活動量について、自己管理により運動を継続するだけでなく、専門家から適切なアドバイスを得ることが有効であり、専門家からアドバイスを受ける間隔は１週間から１ヶ月程度が好ましい。
【先行技術文献】
【特許文献】
【０００５】
【特許文献１】特開２００３−１４１２６０号公報
【発明の概要】
【発明が解決しようとする課題】
【０００６】
特許文献１に記載に準じて活動量計で日々の活動量を測定し、それをポイント化して商品やサービスを得られるようにすることで活動量計のユーザーが運動を継続的に行うようになるとしても、そのユーザーを、１週間から１ヶ月程度の間隔で専門家のアドバイスを受けに行くように仕向けることはできない。
【０００７】
これに対し、本発明の課題は、活動量計のユーザーが活動量に関するアドバイスを提供する店舗などの所定の場所に適切な間隔で出向くようにユーザーの行動を誘導する携帯型端末及びそれを用いたシステムを提供することである。
【課題を解決するための手段】
【０００８】
本発明者は、活動量計測手段を備えた携帯端末のユーザーが、活動量に関するアドバイスが提供されるアドバイス提供地に所定期間ごとに出向くようにするためには、最後にアドバイス提供地に出向いてから所定期間経過すると、携帯型端末に活動量の情報が表示されなくなり、その場合にアドバイス提供地に出向くと活動量の情報が再度表示されるようにすることが有効であることを想到し、本発明を完成した。
【０００９】
即ち、本発明は、活動量計測手段、
活動量計測手段で計測された活動量の情報を読出可能に記憶する記憶手段、
ディスプレイ、及び
ディスプレイにおける表示を制御する制御手段
を備えている携帯型端末であって、
制御手段が、活動量の情報が記憶手段から最後に読み出されたときから所定期間経過するとディスプレイにおける活動量の情報を非表示とし、その後、活動量の情報が記憶手段から読み出されるとディスプレイにおいて活動量の情報を表示可能とする携帯型端末を提供する。
【００１０】
また、本発明は、活動量計測手段、及び活動量計測手段で計測された活動量の情報を読出可能に記憶する記憶手段を備えた携帯型端末、
携帯型端末のユーザーごとに活動量の情報を記憶する活動量サーバー、
アドバイザーにより活動量に関するアドバイスが提供されるアドバイス提供地に設置され、携帯型端末の記憶手段に記憶されている活動量の情報を読み出し、活動量サーバーに送信する情報読出端末、
を備えた活動量管理システムであって、
携帯型端末として上述の携帯型端末を備える活動量管理システムを提供する。
【発明の効果】
【００１１】
本発明の携帯型端末によれば、該携帯型端末から活動量の情報が最後に読み出されたときから所定期間経過すると、該携帯型端末に記憶されている活動量の情報が該携帯型端末のディスプレイに表示されなくなり、その後、携帯型端末から活動量の情報が読み出されるとディスプレイにおいて活動量の情報が表示可能となるので、携帯型端末のユーザーは、所定期間経過前に、携帯型端末から活動量の情報が読み出される行動をとるように誘導される。
【００１２】
一方、本発明の活動量管理システムによれば、情報読出端末が、本発明の携帯型端末から活動量の情報を読み出し、その情報を活動量サーバーに送信し、活動量サーバーが携帯型端末のユーザーごとに活動量の情報を記憶するので、その記憶に基づいてアドバイザーがユーザーに活動量に関するアドバイスを提供することが可能となる。ここで、情報読出端末は、アドバイザーからアドバイスが提供されるアドバイス提供地に設置され、一方、ユーザーは、所定期間経過前に携帯型端末から活動量の情報が読み出される行動を取るように誘導されるので、アドバイス提供地に出向くようになる。
【００１３】
したがって、この所定期間を、生活習慣病の予防等の点から活動量を管理する上で好ましい間隔に設定することにより、ユーザーはアドバイザーから活動量に関するアドバイスを好ましい間隔で受けることが可能となり、さらに、活動量サーバーにはユーザーの活動量の情報が確実に蓄積されていくので、ユーザーが受けるアドバイスは蓄積された活動量に基づく的確なものとなる。
【図面の簡単な説明】
【００１４】
【図１】図１は、実施例の活動量管理システムを備えた健康ソリューションサービスシステムの模式図である。
【図２】図２は、携帯型端末のディスプレイの表示画面の説明図である。
【図３Ａ】図３Ａは、携帯型端末のディスプレイの表示画面の説明図である。
【図３Ｂ】図３Ｂは、携帯型端末のディスプレイの表示画面の説明図である。
【図４】図４は、アドバイスを記載した評価シートの一例である。
【発明を実施するための形態】
【００１５】
以下、図面を参照しつつ本発明を詳細に説明する。なお、各図中、同一符号は、同一又は同等の構成要素を表している。
【００１６】
図１は、本発明の一実施例の携帯型端末１０を使用した活動量管理システム１の一実施例の模式図である。
この活動量管理システム１には、該活動量管理システムを運営するシステム提供者と、活動量計測手段１１を備えた携帯型端末１０のユーザーと、アドバイス提供地となる店舗、施設等が関わる。この活動量管理システム１では、ユーザーが携帯型端末１０を装着して活動し、活動量を健康的に増大又は維持できるようにするため、アドバイス提供地でアドバイザーからユーザーに活動量に関するアドバイスが提供されるようにしており、また、携帯型端末１０を装着して活動したユーザーがアドバイス提供地に出向いてアドバイスを受けるモチベーションを高めるため、携帯型端末１０には、後述するように活動量の情報を表示させなくしたり、表示可能にしたりする特徴的な構成が備えられている。また、図示した活動量管理システム１の実施例では、活動量を健康的に増大又は維持させることへのユーザーのモチベーションをさらに高めるため、活動量に対してポイントが付与されるようにしている。そのため、携帯型端末１０としては、活動量計測手段１１で計測された活動量に対してポイントを付与するポイント付与手段１２も備えたものが使用される。なお、本発明においてポイント付与手段１２は、必要に応じて携帯型端末１０に組み込むことができる。
【００１７】
システム提供者は、ユーザーに、活動量計測手段１１及びポイント付与手段１２を備えた携帯型端末１０を無償又は低価格で配布する。また、システム提供者は、ユーザーごとに活動量の情報を記憶する活動量サーバー２０Ａや、活動量に対して付与されたポイントを管理するポイント管理サーバー２０Ｂを含むサーバー２０を有している。ここで、活動量に対して付与されたポイントは、所定の商品又はサービスとの交換や、商品又はサービスの割引に使用できる価値を有するものとすることができる。
【００１８】
さらに、システム提供者は、日常生活における活動の質（例えば、歩行速度、連続して歩行する時間の状況等）や量（例えば、歩数、消費カロリー等）と、それらに対するアドバイスとを関連づけたデータベース２１を有している。活動量サーバー２０Ａは、そこに蓄積された各ユーザーの活動量の情報に基づき、データベース２１から日常生活の活動量に関するアドバイスをアドバイス提供地に設置された情報読出端末３０に送信する。
【００１９】
アドバイス提供地は、携帯型端末１０に記憶された各ユーザーの活動量及びポイントの情報を読み出してシステム提供者のサーバー２０に転送する情報読出端末３０が設置されている場所である。情報読出端末３０としては、通信機能を備えたパーソナルコンピュータを使用することができる。また、アドバイス提供地は、活動量に関するアドバイザー（即ち、活動量サーバー２０Ａから送信された、ユーザーの活動量の情報又はアドバイスの情報に基づき、ユーザーの活動の質や量についてアドバイスを提供し、その内容を説明できる者）が存在する場所である。
【００２０】
アドバイス提供地となる場所としては、活動量管理システム１に参加する薬局等の店舗、デイケアセンター等の高齢者施設、市町村保健センター等の自治体関連施設、フィットネス施設、民間企業における健康相談施設等をあげることができる。
【００２１】
また、アドバイザーになる者としては、システム提供者から活動量と健康について指導を受けた店員、薬剤師、スポーツインストラクター、健康運動指導士や高齢者体力づくり支援士などの健康指導資格者、理学療法士等をあげることができる。なお、アドバイザーは、情報読出端末３０を用いて携帯型端末１０からユーザーの活動量の情報を読み出し、システム提供者の活動量サーバー２０Ａに転送する操作を行っても良い。
【００２２】
ユーザーは、活動量計測手段１１を備えた携帯型端末１０をシステム提供者から配布された者である。ユーザーは、この携帯型端末１１を使用して日常生活の活動量を計測する。なお、ユーザーへの携帯型端末１０の配布がアドバイス提供地で行われてもよい。
【００２３】
この活動量管理システム１においては、ユーザーが携帯型端末１０で日常生活における活動量を計測し、アドバイス提供地に出向く。アドバイス提供地では、ユーザーの携帯型端末１０に記憶された活動量の情報が情報読出端末３０に読み取られ、活動量サーバー２０Ａに転送されると共に、ユーザーの携帯型端末１０に記憶されたポイントも読み取られ、ポイント管理サーバー２０Ｂに転送される。
【００２４】
活動量サーバー２０Ａは、情報読出端末３０からユーザーの活動量の情報が送信されると、ユーザーの活動量の情報を記憶する。そして、活動量サーバー２０Ａはそれまでに蓄積したユーザーの活動量の情報を集計し、その活動量の情報に基づいてデータベース２１から出力した日常生活に関するアドバイスの情報を情報読出端末３０に送信する。一方、ポイント管理サーバー２０Ｂは、ユーザーのポイントの情報が送信されると、該サーバー２０Ｂに記憶されているユーザーのポイントの合計値を更新する。ポイントの集計情報も情報読出端末３０に送信することができる。
【００２５】
アドバイザーはアドバイス提供地で送信された活動量の情報及びアドバイスの情報をユーザーに分かり易く伝え、解説する。このとき、送信された活動量やアドバイスの情報を、例えば図４に示す評価シート４０のように、紙面に出力してユーザーに手渡しても良い。この評価シート４０には、所定期間における、歩行速度、平均歩数、平均消費カロリー、平均装着時間（即ち、活動が認められた平均時間）の目標値と実績値と達成度などが記載され、それらを合わせた評価がＡ、Ｂ、Ｃ、Ｄのランクでカレンダーの各日付に表され、さらに総合評価もＡ、Ｂ、Ｃ、Ｄのランクで表され、アドバイスの文面が記載されている。これによりユーザーは、自らの活動量について、アドバイザーから専門的なアドバイスを分かり易く説明してもらうことができ、また、アドバイザーとのコミュニケーションを深めることができる。そこで、ユーザーはアドバイス提供地に繰り返し出向くようになる。
【００２６】
また、アドバイス提供地が、例えば、薬局等の店舗である場合、その店舗にはユーザーが繰り返し出向くようになることで、店舗における商品の販売が促進され、売り上げが向上する。したがって、この活動量管理システム１においては、システム提供者がユーザーに携帯型端末１０を無償で配布し、アドバイス提供地となる店舗がシステム提供者に該サービスシステムの使用料を支払うようにしても良く、システム提供者が健康の維持向上に関わる製品を製造している場合に、その製品が店舗で取り扱われるようにしても良い。
【００２７】
また、アドバイス提供地がデイケアセンター等の高齢者の福祉施設に係る場合、ユーザーである高齢者が該施設に繰り返し出向くようになることで、該施設は高齢者の健康状態を把握し易くなり、ひいては病気を予防することができる。よって、該施設がこのサービスシステムの使用料を支払うようにしても良く、公的費用により使用料が支払われるようにしても良い。
【００２８】
このように、図１に示した活動量管理スシステム１によれば、ユーザーには携帯型端末１０が配布され、日常の活動量についてアドバイスを受けられるという利点があり、また、活動量に対して付与されたポイントにより商品やサービスを得られるという利点がある。アドバイス提供地となる店舗、施設などには、そこにユーザーが出向くようになることで店舗の売り上げが向上したり、ユーザーの健康状態を把握し易くなったりするという利点がある。さらに、システム提供者は、アドバイス提供地となる店舗、施設などからこのサービスシステムの使用料を得られたり、システム提供者の商品がアドバイス提供地で取り扱われたりする等の利点がある。
【００２９】
ここで、この活動量管理システム１をより実効あらしめるためには、ユーザーが、活動量に関するアドバイスを受けるのに好ましい間隔（例えば、１週間〜１ヶ月間隔）でアドバイス提供地に出向くようにユーザーを誘導することが好ましい。そこで、この活動量管理システム１で使用する本発明の携帯型端末１０は、活動量計測手段１１の他に活動量計測手段１１で計測された活動量の情報を読出可能に記憶する記憶手段１３、ディスプレイ１４、及びディスプレイ１４における表示を制御する制御手段（ＣＰＵ）１５を備え、また、通信手段１６、現在の時刻や日付を認識する時計、ポイント付与手段１２等も備えることができる。そして、制御手段１５が、記憶手段１３から活動量の情報が最後に読み出されたときから所定期間経過するとディスプレイ１４における活動量の情報を非表示とし、その後、活動量の情報が記憶手段１３から読み出されるとディスプレイ１４において活動量の情報を表示可能とする。これにより、携帯型端末１０のユーザーは、活動量の情報が非表示になると、活動量の情報が再度ディスプレイ１４で表示されるようにするためにアドバイス提供地に出向き、携帯型端末１０から活動量の情報を情報読出端末３０で読み出させることが強く促される。したがって、携帯型端末１０のユーザーは、ディスプレイ１４において活動量の情報が非表示になる前に、あるいは非表示なった後は速やかにアドバイス提供地に出向くことにより、活動量に関するアドバイスを受けるのに適切な期間でアドバイザーから活動量に関するアドバイスを受けるようになる。
【００３０】
なお、本発明において携帯型端末１０は、前述のようにポイント付与手段１２を備えることができ、その場合に制御手段１５が、記憶手段１３から活動量の情報が最後に読み出されたときから所定期間経過するとディスプレイ１４におけるポイントの情報を非表示とし、その後、活動量の情報が記憶手段１３から読み出されるとポイントの情報が表示可能となるようにしてもよい。これにより、携帯型端末１０のユーザーは、より一層、所定期間経過前の、活動量に関するアドバイスを受けるのに適切な期間でアドバイス提供地に出向き、アドバイザーから活動量に関するアドバイスを受けるようになる。
【００３１】
この携帯型端末１０の構成をより具体的に説明すると、活動量計測手段１１としては、３軸の加速度を計測する加速度センサを内蔵し、加速度センサによる加速度の計測値に基づき、活動量を、消費カロリー、日常歩行速度、歩数、又は活動時間等として出力できるものを使用する。このような活動量計測手段としては、例えば、パナソニック社製デイカロリＥＷ−ＮＫ１０等を使用することができる。
【００３２】
記憶手段１３は、活動量計測手段１１で計測された活動量や、ポイント付与手段１２で算出されたポイントや、活動量が情報読出端末３０で読み出された日時を記憶する。記憶手段１３から活動量の情報が最後に読み出されたときから所定期間経過することによりディスプレイ１４における活動量の情報が非表示となっている状態でも、活動量の情報が非表示となる前と同様に記憶手段１３では活動量の情報を記憶し続ける。この記憶量としては、例えば、１ヶ月分の活動量の情報とすることができる。これにより、携帯型端末１０のユーザーがアドバイス提供地に出向き、記憶手段１３に記憶されている活動量の情報を情報読出端末３０に読み取らせると、記憶手段１３に記憶されていた直近の１ヶ月の活動量の情報に基づいて活動量に関するアドバイスを受けることが可能となる。
【００３３】
記憶手段１３に記憶された活動量やポイントの情報は情報読出端末３０で読み出され、情報読出端末３０でサーバー２０に送信されるが、この読み出しが任意の情報読出装置３０で行われることなく、アドバイス提供地に設置してある情報読出端末で行われるようにするため、読出可能とする情報読出端末３０を予め携帯型端末１０に登録しておいてもよい。
【００３４】
また、記憶手段１３では、情報読出端末３０で読み出された情報が消去されるようにしてもよい。それにより、サーバー２０に蓄積された情報が、記憶手段１３から再度送信され、サーバー２０で活動量やポイントが二重に加算されて記憶されることを防止できる。このためのより具体的な構成としては、例えば、記憶手段１３を制御するＣＰＵが、ポイントや活動量が情報読出端末３０で読み出された日時を時計から読み取って記憶すると共に、記憶手段１３におけるポイントや活動量の書き込み領域の値をゼロにする構成とすることができる。
【００３５】
ディスプレイ１４は、制御手段１５により表示内容が制御され、活動量の情報が記憶手段１３から最後に読み出されたときから所定期間経過する前か経過したかによって、活動量や活動量に対して付与されるポイントを表示したり非表示としたりする。また、当該時点の日時などを適宜表示する。
【００３６】
この場合、所定期間経過により突然に活動量やポイントの情報が表示されなくなるのではなく、所定期間経過前にアドバイス提供地に出向くことを促す表示をすることが好ましい。例えば、前回アドバイスを受けてから次にアドバイスを受けるまでの最も好ましい期間として２週間を設定し、ディスプレイ１４で活動量の表示がされなくなる所定期間を最後に活動量の情報が読み出されてから３週間に設定し、また、アドバイス提供地である店舗又は施設名が○○である場合に、２週間経過前の前々日及び前日に、「○○へお越しください」を自動的に表示する。この表示は、例えば、２週間経過前までは５秒ごとに０．５秒間行われ、２週間経過以降３週間までは３秒ごとに１秒間行う。そして、最後に活動量の情報が読み出されてから３週間経過すると活動量やポイントを非表示とする。
【００３７】
なお、「○○へお越しください」等のアドバイス提供地に出向くことを促す表示は、当該時点における携帯型端末１０の使用機能によって表示されないようにしても良い。例えば、携帯型端末１０においてボタン１７を押すことによりディスプレイ１４での表示内容を切り替えることができる場合において、ディスプレイ１４に或る区間の歩数を表示させるとき、ボタン１７を押し続けることにより、「○○へお越しください」が表示されずに歩数を表示できるようにする。
【００３８】
また、上述のように携帯型端末１０のディスプレイ１４において活動量の情報が非表示となり、又はそれに加えてポイントの情報も非表示となった場合に、ディスプレイ１４にはアドバイス提供地に行くことを促すマーク又は語句を表示させることが好ましい。これにより、携帯型端末１０のユーザーは、アドバイス提供地に出向き、情報読出端末３０により携帯型端末１０から活動量の情報が読み出されるようにすべき時期が到来していることを知らされる。例えば、図２に示すように、ディスプレイ１４における通常の画面では、携帯型端末１０に記憶されている活動量１４ａ、当該時点の日時１４ｂ、活動量１４ａに対して付与されるポイント１４ｃが表示される場合に、所定期間経過後は、図３Ａに示すように、アドバイス提供地に行くことを促す表示１４ｄとして「Ｇｏ」を表示し、アドバス提供地に出向くことを促すようにしてもよく、また、図３Ｂに示すように、「ｔｏｕｃｈ」を表示し、携帯型端末１０を情報読出端末３０にタッチさせることを携帯型端末１０のユーザーに連想させ、携帯型端末１０から活動量の情報が読み出されるようにすることを促しても良い。
【００３９】
一方、ポイント付与手段１２は、携帯型端末１０に組み込まれた演算装置によって実現される。ポイント付与手段１２では、活動量計測手段１１で計測された活動量に対してポイントを付与する。このポイント付与に関しても、携帯端末のユーザーが所定期間前にアドバイス提供地に出向くことを促すため、最後にアドバイス提供地で活動量の情報が読み出されてから現時点までの期間に応じてポイントを付与する割合を変えても良い。
【００４０】
本発明は、種々の態様をとることができる。例えば、上述の活動量ポイント管理システムにおいて、ポイント付与手段１２を情報読出端末３０に組み込み、ポイントの情報が情報読出端末３０からサーバー２０に送信されるようにしてもよく良く、ポイント付与手段１２をサーバー２０に組み込んでも良い。ポイント付与手段１２を情報読出端末３０又はサーバー２０に組み込んだ場合、当該時点で携帯型端末１０に記憶されている活動量に対して付与されるポイントを携帯型端末１０で確認できるようにするため、携帯型端末１０から情報読出端末３０又はサーバー２０に適宜通信手段でアクセスし、ポイントの情報が携帯型端末１０に送信されるようにしてもよい。なお、この場合も、前述のように、活動量の情報が記憶手段から最後に読み出されたときから所定期間経過する前か否かによって、ポイントを表示又は非表示とすることが好ましい。
【００４１】
また、ユーザーの活動量の管理を情報読出端末３０で行い、活動の質や量とそれらに対するアドバイスとを関連づけたデータベース２１を情報読出端末３０と接続し、情報読出端末３０からアドバイスが出力されるようにしても良い。
【００４２】
データベース２１を省略し、アドバイザーが活動量サーバー２０Ａから送信されたユーザーの活動量の情報に対してアドバイスを提供してもよい。
【符号の説明】
【００４３】
１    活動量管理システム
１０    携帯型端末
１１    活動量計測手段
１２    ポイント付与手段
１３    記憶手段
１４    ディスプレイ
１４ａ  活動量の表示
１４ｂ  日時の表示
１４ｃ  ポイントの表示
１４ｄ  アドバイス提供地に行くことを促す表示
１５    制御手段
２０    サーバー
２０Ａ  活動量サーバー
２０Ｂ  ポイント管理サーバー
２１    データベース
３０    情報読出端末
４０    アドバイスを記載した評価シート
【図１】
0006528402.tif 000002
【図２】
0006528402.tif 000003
【図３Ａ】
0006528402.tif 000004
【図３Ｂ】
0006528402.tif 000005
【図４】
0006528402.tif 000006